(57)【要約】【課題】蓋付き容器のヒンジ構造について改良し、爪による係止で装着されるようなヒンジピンを使用可能で且つ外からの見栄えもよいダイカスト製容器向けのヒンジ構造を提供する。【解決手段】蓋又は容器本体のいずれか一方に突片部を、他方に該突片部を受け入れる切欠部をそれぞれ形成し、突片部には容器の外方に向って開放されるヒンジ係入部と容器の内方に向って開放される爪挿通部とを互いに連通して形成し、切欠部が形成された蓋又は容器本体には切欠部を画成する一方の側壁に内端を開口し外端を容器の外面に開放したヒンジ挿着部を貫設し、更に切欠部を画成する他方の側壁に爪収容部を凹設し、これら爪収容部、爪挿通部、ヒンジ係入部並びにヒンジ挿着部を同一軸線上に配置し互いに連通させてヒンジピンを装入し、ヒンジピンの固定側ヒンジ部又は回動側ヒンジ部のいずれか一方をヒンジ挿着部に、他方をヒンジ係入部にそれぞれ回り止め状態で装着し、ヒンジピンの爪部を爪収容部に収容しつつ突片部の内方の壁に係止してヒンジ部材の抜止を図るようにしたことを特徴とする。【選択図】  図１
2004162783.tif 000002
【特許請求の範囲】
【請求項１】
相対的に回動する固定側ヒンジ部と回動側ヒンジ部及び抜止用の爪部を有し、両ヒンジ部の相対的な回動を弾性手段で弾力的に制御するようにしたヒンジピンを、蓋と容器本体に連通して形成された孔状のヒンジ受入部に外方から装入して、固定側ヒンジ部を蓋又は容器本体のいずれか一方に、回動側ヒンジ部を蓋又は容器本体の他方に、それぞれ回り止め状態で装着し、爪部で抜止を図っている容器のヒンジ構造において、
蓋又は容器本体のいずれか一方に突片部を、他方に該突片部を受け入れる切欠部をそれぞれ形成し、突片部には容器の外方に向って開放されるヒンジ係入部と容器の内方に向って開放される爪挿通部とを互いに連通して形成し、切欠部が形成された蓋又は容器本体には切欠部を画成する一方の側壁に内端を開口し外端を容器の外面に開放したヒンジ挿着部を貫設し、更に切欠部を画成する他方の側壁に爪収容部を凹設し、これら爪収容部、爪挿通部、ヒンジ係入部並びにヒンジ挿着部を同一軸線上に配置し互いに連通させてヒンジピンを装入し、ヒンジピンの固定側ヒンジ部又は回動側ヒンジ部のいずれか一方をヒンジ挿着部に、他方をヒンジ係入部にそれぞれ回り止め状態で装着し、ヒンジピンの爪部を爪収容部に収容しつつ突片部の内方の壁に係止してヒンジ部材の抜止を図るようにしたことを特徴とする容器のヒンジ構造。
【請求項２】
蓋と容器本体のいずれか一方又は両方がダイカスト製であることを特徴とする請求項１記載の容器のヒンジ構造。
【請求項３】
蓋と容器本体のいずれか一方又は両方の素材がマグネシウム合金であることを特徴とする請求項２記載の容器のヒンジ構造。
【発明の詳細な説明】
【０００１】
【発明の属する技術分野】
本発明は、携帯電話機のフリップや化粧料容器など、蓋を容器本体にヒンジ接続して開閉するようにした蓋付き容器に関する。
【０００２】
【従来の技術】
蓋を容器本体にヒンジ接続して開閉するようにした容器、たとえば、ファンデーションを入れたコンパクト容器などの化粧料容器は、特許文献１に示すように、蓋と容器本体の後端部をヒンジピンとこれを嵌合又は係合させるヒンジ孔とで接続したものが主流である。そして最近では、ヒンジピンの構造を工夫して、閉位置近くでは蓋を閉方向へ付勢する一方、全開位置近くまで蓋を開いたときには開方向への付勢力を発揮して蓋の全開状態を維持するような仕組みとしたヒンジピンを採用する構造も見受けられる（いわゆるフックレスタイプ）。その代表例を図１〜３に示す。
【０００３】
この容器（１）は、後端部を互いにヒンジ接続した蓋（２）及び容器本体（３）からなり、その蓋（２）の内側には鏡が取り付けられ、容器本体（３）には化粧料収容部（３ａ）とパフ入れ部（３ｂ）とが凹設されている。この容器（１）におけるヒンジ構造は、蓋（２）の後端部に凸部（２ａ）を形成するとともにこの凸部（２ａ）を受け入れる切欠部（３ｃ）を容器本体（３）の後端部に形成し、そして、これら凸部（２ａ）及び切欠部（３ｃ）の対向する側面に、ヒンジピン（４）を装着するヒンジ孔（２ｂ），（３ｄ）をそれぞれ設けてある。容器本体（３）のヒンジ孔（３ｄ）は貫通孔としてあり、外方からヒンジピン（４）を挿入して装着することができるようになっている。
【０００４】
ヒンジピン（４）は、たとえば内部に弾性手段としてコイルスプリングを有し、その弾性力を利用して、固定側ヒンジ部と回動側ヒンジ部の相対的回動を弾力的に制御する構造としてあり、本例の場合、閉位置と全開位置の中間の開位置では、その開位置をキープするような摩擦力を発生する仕組みにもしてある。このヒンジピン（４）の先端には爪部（４ａ）が形成してあり、この爪部（４ａ）が、蓋（２）のヒンジ孔（２ｂ）内に突設した環状の係止壁（２ｃ）を弾性変形しながら通過した後に該係止壁（２ｃ）へ係止することで、ヒンジピン（４）がヒンジ孔（２ｂ），（３ｄ）内に装着される。
【０００５】
上記のようなヒンジ構造を有する容器（１）の場合、蓋（２）のヒンジ孔（２ｂ）内に設ける係止壁（２ｃ）の形成が難しい。特に、容器（１）が射出成形による樹脂製であれば、その金型内で中子を内側からスライドさせる手法により形成可能であるが、アルミニウム合金、亜鉛合金、銅合金、マグネシウム合金等のダイカスト製品では、金型内の温度が高いため焼き付きが発生するなどの原因で、射出成形と同じ内側スライドの手法をとることができない。したがって、上記従来例の容器（１）をダイカスト製とすることはできない。
【０００６】
最近では、一般の樹脂、金属と比較して軽く且つ破壊強度も強いマグネシウム合金を容器に使用する例が増えており、このマグネシウム合金製の容器はダイカストによる製造が主なため、上記不具合の解決が望まれている。
【０００７】
【特許文献１】
特開平８−２０５９２６号公報
【０００８】
【発明が解決しようとする課題】
本発明は、蓋付き容器のヒンジ構造について改良し、上記のような爪による係止で装着されるようなヒンジピンを使用可能で且つ外からの見栄えもよいダイカスト製容器向けのヒンジ構造を提供する。
【０００９】
【課題を解決するための手段】
本発明の容器のヒンジ構造は、相対的に回動する固定側ヒンジ部と回動側ヒンジ部及び抜止用の爪部を有し、両ヒンジ部の相対的な回動を弾性手段で弾力的に制御するようにしたヒンジピンを、蓋と容器本体に連通して形成された孔状のヒンジ受入部に外方から装入して、固定側ヒンジ部を蓋又は容器本体のいずれか一方に、回動側ヒンジ部を蓋又は容器本体の他方に、それぞれ回り止め状態で装着し、爪部で抜止を図っている容器のヒンジ構造において、蓋又は容器本体のいずれか一方に突片部を、他方に該突片部を受け入れる切欠部をそれぞれ形成し、突片部には容器の外方に向って開放されるヒンジ係入部と容器の内方に向って開放される爪挿通部とを互いに連通して形成し、切欠部が形成された蓋又は容器本体には切欠部を画成する一方の側壁に内端を開口し外端を容器の外面に開放したヒンジ挿着部を貫設し、更に切欠部を画成する他方の側壁に爪収容部を凹設し、これら爪収容部、爪挿通部、ヒンジ係入部並びにヒンジ挿着部を同一軸線上に配置し互いに連通させてヒンジピンを装入し、ヒンジピンの固定側ヒンジ部又は回動側ヒンジ部のいずれか一方をヒンジ挿着部に、他方をヒンジ係入部にそれぞれ回り止め状態で装着し、ヒンジピンの爪部を爪収容部に収容しつつ突片部の内方の壁に係止してヒンジ部材の抜止を図るようにしたことを特徴とする。
【００１０】
このヒンジ構造によれば、ヒンジピンを受け入れる孔内の途中に係止壁を突設する従来構造をもたないので、中子のスライドを工夫する必要がなく、ダイカストでの製造も容易である。
【００１１】
【発明の実施の形態】
図４〜図６に、本発明に係る蓋付き容器の一例を示している。この例も、図１に示したような化粧料容器に本発明を適用した例である。
【００１２】
この容器（１０）は、マグネシウム合金のダイカスト製である蓋（２０）と、同じくマグネシウム合金のダイカスト製である容器本体（３０）とを、ヒンジピン（４０）によりヒンジ接続して構成されている。ダイカストの素材としてはこの他にもアルミニウム合金、亜鉛合金、銅合金等を使用可能であるが、軽く且つ破壊強度も強いマグネシウム合金が最適である。
【００１３】
蓋（２０）は、その端部に二つの突片部（２１）が形成されている。各突片部（２１）には、容器の外方へ向って開放されている孔状のヒンジ係入部（２２）と、容器の内方へ向って開放されている孔状の爪挿通部（２３）とが互いに連通して形成されている。容器本体（３０）は、その端部に、蓋（２０）の二つの突片部（２１）を受け入れる切欠部（３１）がそれぞれ形成されている。そして、この各切欠部（３１）を画成する一方の側壁に内端を開口し且つ外端を容器外面に開放した孔状のヒンジ挿着部（３２）が形成され、また、各切欠部（３１）を画成する他方の側壁には爪収容部（３３）が凹設されている。
【００１４】
ヒンジ挿着部（３２）に対し、爪収容部（３３）は同径以下であり、したがって、外側からの中子のスライドで形成可能である。また、蓋（２０）の突片部（２１）に設けられたヒンジ受入部も、孔状のヒンジ係入部（２２）と爪挿通部（２３）を連通させた単純な構造であるため、外側からの中子のスライドで形成可能である。したがって、これら蓋（２０）及び容器本体（３０）は、ダイカストにより製造することが可能である。
【００１５】
以上のような蓋（２０）と容器本体（３０）は、蓋（２０）の突片部（２１）を容器本体（３０）の切欠部（３１）へ入れて、爪収容部（３３）、爪挿通部（２３）、ヒンジ係入部（２２）、ヒンジ挿着部（３２）を同一軸線上に配置し互いに連通させた状態で、ヒンジピン（４０）をヒンジ挿着部（３２）の外端から挿入することにより接続される。
【００１６】
このときに、ヒンジピン（４０）の先端に設けられた爪部（４１）が弾性変形により縮径して爪挿通部（２３）を通過し、爪収容孔（３３）に収容される。この爪収容孔（３３）に収容された爪部（４１）はもとの径に復帰するので、引き抜き方向に対しては突片部（２１）の内方の壁に係止することになる。したがって、ヒンジピン（４０）の脱落が防止され、ヒンジ孔内にヒンジピン（４０）が装着される。
【００１７】
ヒンジピン（４０）は、相対的に回動する固定側ヒンジ部（４２）と回動側ヒンジ部（４３）とからなり、爪部（４１）が回動側ヒンジ部（４３）の先端に設けられる。回動側ヒンジ部（４３）は固定側ヒンジ部（４２）と同径かそれ以下となっており、固定側ヒンジ部（４２）がヒンジ挿着部（３２）に回り止め状態で装着され、回動側ヒンジ部（４３）がヒンジ係入部（２２）に回り止め状態で装着されることになる。その回り止め状態は、各ヒンジ部（４２），（４３）に設けられた平坦面（４２ａ），（４３ａ）とこれに相応するヒンジ装着部（３２）及びヒンジ係入部（２２）の形状により達成される。
【００１８】
【発明の効果】
本発明の蓋付き容器によれば、突片部と該突片部を受け入れる切欠部とを有し、突片部にヒンジ係入部と爪挿通部を連通し、切欠部が形成された蓋又は容器本体にはヒンジ挿着部を貫通させるだけでよいため、途中が小径となった盲貫状のヒンジ受入部を形成する必要がなく、ヒンジ受入部は単に軸方向へ移動する型のみで成形することができ、ダイカスト成形に適した構造を提供することができる。また、突片部の側壁に係止したヒンジピンの爪は、爪収容孔内に納められることで外部へ露出しないので、外観の見栄えもよくなる。
【図面の簡単な説明】
【図１】従来のヒンジ構造をもつ蓋付き容器を示した斜視図。
【図２】従来のヒンジ構造を説明する部分断面図。
【図３】従来のヒンジ構造の拡大図。
【図４】本発明に係るヒンジ構造をもつ蓋と容器本体を示した部分断面図。
【図５】本発明に係るヒンジ構造を説明する部分断面図。
【図６】本発明に係るヒンジ構造の拡大図。
【符号の説明】
１０  容器
２０  蓋
２１  突片部
２２  ヒンジ係入部
２３  爪挿通部
３０  容器本体
３１  切欠部
３２  ヒンジ挿着部
３３  爪収容部
４０  ヒンジピン
４１  爪部
【図１】
2004162783.tif 000003
【図２】
2004162783.tif 000004
【図３】
2004162783.tif 000005
【図４】
2004162783.tif 000006
【図５】
2004162783.tif 000007
【図６】
2004162783.tif 000008